(57)【要約】【課題】ベルトの伸縮性を維持しながら、裏地面に柔軟性及び吸湿性をもたせ、肌当たりが良く、発汗を抑制することができる固定ベルトを提供する。【解決手段】固定ベルト１００は、表地面２０と裏地面３０とからなる帯状のベルト本体１０と、表地面２０の両端部近傍に取り付けられ、折り返されて表地面２０に装着される面ファスナー雄部４１、４２と、を備える。表地面２０は、二種以上の合成繊維で伸縮織されると共に、表地面２０の全面に亘って面ファスナー雄部４１、４２を装着するための面ファスナー雌面４３として形成される。裏地面３０は、綿糸のみもしくは綿を主体とする繊維で柔軟織されている。【選択図】図２
0003217275.tif 000002
【実用新案登録請求の範囲】
【請求項１】
表地面と裏地面とからなる帯状のベルト本体と、
前記表地面の両端部近傍に取り付けられ、折り返されて前記表地面に装着される面ファスナー雄部と、
を備え、
前記表地面は、二種以上の合成繊維で伸縮織されると共に、該表地面の全面に亘って前記面ファスナー雄部を装着するための面ファスナー雌面として形成され、
前記裏地面は、綿糸のみで柔軟織されていることを特徴とする、固定ベルト。
【請求項２】
表地面と裏地面とからなる帯状のベルト本体と、
前記表地面の両端部近傍に取り付けられ、折り返されて前記表地面に装着される面ファスナー雄部と、
を備え、
前記表地面は、二種以上の合成繊維で伸縮織されると共に、該表地面の全面に亘って前記面ファスナー雄部を装着するための面ファスナー雌面として形成され、
前記裏地面は、綿と合成繊維との混用により柔軟織りされていることを特徴とする、固定ベルト。
【請求項３】
前記裏地面は、綿と合成繊維との全混用量１００％に対して、綿が少なくとも５０％以上の混用率で織布され、
残部の前記合成繊維は、セルロース系再生繊維、ポリエステル繊維、もしくはアクリル繊維のうち、少なくとも一種類が用いられる、請求項２に記載の固定ベルト。
【請求項４】
前記裏地面は、綿糸と合成繊維糸との交織により形成されている、請求項２または請求項３に記載の固定ベルト。
【請求項５】
前記裏地面は、綿を含む複数の繊維の混紡糸を用いて形成されている、請求項２または請求項３に記載の固定ベルト。
【請求項６】
前記裏地面は、パイル織、シャーリング織、ガーゼ織、ワッフル織、もしくは無撚糸織により柔軟織されている、請求項１から５のいずれか一項に記載の固定ベルト。
【請求項７】
前記ベルト本体はストーマ装具に取り付けるための取付具を備え、該取付具は前記ベルト本体の端部を挿通させるための挿通孔を有する、請求項１から６のいずれか一項に記載の固定ベルト。
【考案の詳細な説明】
【技術分野】
【０００１】
本考案は、人体に装着して肌に直接接触する固定ベルトに関する。
【背景技術】
【０００２】
人体の腹壁に人工肛門や人工膀胱（ストーマ（stoma））を形成し、便の排泄を可能とする治療が行われている。ストーマは、排泄のタイミングを自らの意志により制御できないため、ストーマ装具を腹部に装着して排泄物を収容する。ストーマ装具は、排泄物を収容するための排泄袋（パウチ）と、パウチを取り付ける土台となる面板（皮膚保護剤）とからなる。パウチに溜まった排泄物は、トイレなどに廃棄される。
【０００３】
ストーマ装具を日常生活に支障がないように使用するためには、ストーマ装具が腹部に安定して装着されることを要する。このストーマ装具の固定技術としては、例えば、ベルト本体の片面の全体に亘って面ファスナー用ループを設け、該ベルト本体の同一片面の両端部近傍に、長方形面状に面ファスナー用フックを設け、２つの該クリップの保持穴を該クリップ裏面が対面する状態で該ベルト本体が貫通し、該クリップの挟み機構が該ベルト本体の面ファスナー面の反対側に置かれることを特徴とする、オストミーパウチ固定用ベルトが提案されている（特許文献１参照）。
【先行技術文献】
【特許文献】
【０００４】
【特許文献１】実用新案登録第３１４６８３５号公報
【考案の概要】
【考案が解決しようとする課題】
【０００５】
従来の固定ベルトは、ストーマ装具の固定性を重視して伸縮性を追求してきたため、例えば、ナイロン繊維とポリエステル繊維との織物により構成されている。
【０００６】
しかし、ナイロンやポリエステル等の合成繊維の織物は柔軟性がないため、肌当たりが強くなりやすい。また、合成繊維は吸湿性に劣るため、ベルト裏地面が当接する肌部分に汗をかきやすい。したがって、従来の固定ベルトでは、時折、ベルト裏地面が当接する肌部分の汗をタオルなどで拭わなければ、かゆみや湿疹の発生原因にもなり易い。
【０００７】
本考案の目的は、上記の事情に鑑みて、ベルトの伸縮性を維持しながら、肌に接触する裏地面に柔軟性及び吸湿性をもたせて、肌当たりが良く、発汗を抑制することができる固定ベルトを提供することにある。
【課題を解決するための手段】
【０００８】
上記目的を達成するため、本考案の第１態様に係る固定ベルトは、表地面と裏地面とからなる帯状のベルト本体と、上記表地面の両端部近傍に取り付けられ、折り返されて上記表地面に装着される面ファスナー雄部と、を備え、上記表地面は、二種以上の合成繊維で伸縮織されると共に、該表地面の全面に亘って上記面ファスナー雄部を装着するための面ファスナー雌面として形成され、上記裏地面は、綿糸のみで柔軟織されていることを特徴とする。
【０００９】
また、本考案の第２態様に係る固定ベルトは、表地面と裏地面とからなる帯状のベルト本体と、上記表地面の両端部近傍に取り付けられ、折り返されて上記表地面に装着される面ファスナー雄部と、を備え、上記表地面は、二種以上の合成繊維で伸縮織されると共に、該表地面の全面に亘って上記面ファスナー雄部を装着するための面ファスナー雌面として形成され、上記裏地面は、綿と合成繊維との混用により柔軟織りされていることを特徴とする。
【００１０】
第２態様に係る固定ベルトの構成において、上記裏地面は、綿と合成繊維との全混用量１００％に対して、綿が少なくとも５０％以上の混用率で織布され、残部の上記合成繊維は、セルロース系再生繊維、ポリエステル繊維、もしくはアクリル繊維のうち、少なくとも一種類が用いられることが好ましい。
【００１１】
第２態様に係る固定ベルトの構成において、上記裏地面は、綿糸と合成繊維糸との交織により形成されていることが好ましい。
【００１２】
或いは、上記裏地面は、綿を含む複数の繊維の混紡糸を用いて形成されていることが好ましい。
【００１３】
第１及び第２態様に係る固定ベルトの構成において、上記裏地面は、パイル織、シャーリング織、ガーゼ織、ワッフル織、もしくは無撚糸織により柔軟織されていることが好ましい。
【００１４】
第１及び第２態様に係る固定ベルトの構成において、上記ベルト本体はストーマ装具に取り付けるための取付具を備え、該取付具は上記ベルト本体の端部を挿通させるための挿通孔を有することが好ましい。
【考案の効果】
【００１５】
本考案によれば、ベルトの伸縮性を維持しながら、肌に接触する裏地面に柔軟性及び吸湿性をもたせて、肌当たりが良く、発汗を抑制することができる固定ベルトを実現することができる。
【図面の簡単な説明】
【００１６】
【図１】第１実施形態に係る固定ベルトの表地面側の概略図である。
【図２】第１実施形態に係る固定ベルトの裏地面側の概略図である。
【図３】第１実施形態に係る固定ベルトに取付具を取り付けた状態の概略図である。
【図４】第１実施形態に係る固定ベルトに取付具を取り付けて、面ファスナーを装着した状態の概略図である。
【図５】第１実施形態に係る固定ベルトをストーマ装具に装着した状態の斜視図である。
【図６】第２実施形態に係る固定ベルトの裏地面側の概略図である。
【図７】第３実施形態に係る固定ベルトの裏地面側の概略図である。
【考案を実施するための形態】
【００１７】
以下、図面を参照して、第１から第３実施形態に係る固定ベルトについて説明する。図面において、同一又は類似の部材や部分には同一又は類似の符号を付している。また、図面は模式的に図示しており、実際の寸法や比率等とは必ずしも一致しない。さらに、図面相互間において、互いの寸法の関係や比率が異なる部分が含まれることがある。
【００１８】
〔第１実施形態〕
［固定ベルトの構成］
まず、図１から図５を参照して、第１実施形態に係る固定ベルト１の構成について説明する。図１は、第１実施形態に係る固定ベルトの表地面側の概略図である。図２は、第１実施形態に係る固定ベルトの裏地面側の概略図である。
【００１９】
図１及び図２に示すように、第１実施形態に係る固定ベルト１００は、ベルト本体１０と、一対の面ファスナー雄部４１、４２とを備える。
【００２０】
ベルト本体１０は、平帯状の身体に固定する結束体である。ベルト本体１０は、当該ベルト本体１０の一方の面の表地面２０と、他方の面の裏地面３０とから、一体の平帯状の織布として構成されている。
【００２１】
図１に示すように、表地面２０は、ベルト本体１０の人体への装着時に外側に現れる表側の面である。表地面２０は、二種以上の合成繊維で伸縮織されている。ここで、「伸縮織」とは、平編の表目と裏目が縦方向の列ごとに交互に配置された織り方で、縦に畝ができるリブ目があり、横方向への伸縮性に富んでいる。
【００２２】
本実施形態の表地面２０は、例えば、ナイロン繊維の縦糸（緯糸）と、ポリエステル繊維の横糸（経糸）とによって、伸縮織されている。伸縮織に寄与する横糸（経糸）は、ポリエステル繊維に代えてポリウレタン繊維であってもよく、或いはポリエステル繊維とポリウレタン繊維との混紡糸であっても構わない。
【００２３】
また、本実施形態の表地面２０は、当該表地面２０の全面に亘って、面ファスナー雄部４１、４２を装着するための面ファスナー雌面４３として形成されている。面ファスナーは、面ファスナー雄部４１、４２と面ファスナー雌面４３とからなり、布に特殊な加工をし、面的に着脱可能なファスナーである。面ファスナー雌面４３は、細かいループ（輪）を有するので、一般にループ面と呼ばれている。
【００２４】
面ファスナー雄部４１、４２は、ベルト本体１０の表地面２０の両端部近傍に一対縫い付けられている。面ファスナー雄部４１、４２は、長方形状の島状部として形成されている。本実施形態の面ファスナー雄部４１、４２は、ベルト本体１０の両端部の内側で折り返されて、面ファスナー雌面４３として形成された表地面２０に装着される（図４参照）。面ファスナー雄部４１、４２の大きさは、面ファスナー雌面４３に装着した時に十分な接合力を有する面積に設定されている。
【００２５】
面ファスナー雄部４１、４２は、例えば、フック状、マッシュルーム状、もしくは鮫歯状に起毛されている。面ファスナー４０は、フック状の面ファスナー雄部４１、４２と、ループ状の面ファスナー雌面４３とを押し付けるだけで貼り付き、貼り付けたり剥がしたりすることが可能である。
【００２６】
図２に示すように、裏地面３０は、ベルト本体１０が人体の肌に直接接触する裏側の面である。本実施形態の裏地面３０は、綿糸のみで柔軟織されている。綿糸と他の繊維とを混用してもよいが、混用については第２実施形態以下で後述する。裏地面３０として綿を用いるのは、綿は柔軟性に富んで肌当たりが良く、吸水性が良いため汗を吸い取り易いからである。
【００２７】
裏地面３０の柔軟織としては、例えば、パイル織３１、シャーリング織、ガーゼ織、ワッフル織、もしくは無撚糸織が挙げられ、特にパイル織３１を採用することが好ましい。ここで、「パイル織３１」とは、平織もしくは綾織の生地の表面にループ状のパイル片を織り出した織り方をいい、保湿性、保温性及び吸水性に優れている。一般的な織物とパイル織りとの違いは、経糸と別にパイル糸があり、このパイル糸をテリーモーションと称される特殊な動作でループ状に弛ませ、パイル片を形成する。即ち、通常の織物は、経糸を強く張った状態で織り上げる。これに対してパイル織３１は、地経糸を強く張り、パイル糸を緩めに張ることで、筬打ちの際に３本目の緯糸がパイル糸と絡み、筬のストローク分だけ引っ張られたパイル糸が弛みパイル片（ループ）を形成する。
【００２８】
「シャーリング織」とは、パイル生地のループ片の頭部分をカットしたもので、滑らかな手触りを有する。「ガーゼ織」とは、パイル片を形成しない織り方であり、柔軟性に富み、肌触りが良く、通気性が良く乾き易い。「ワッフル織」は、洋菓子のワッフルのように凹凸を形成した独特な風合いの織り方であり、肌触りや吸水性が良く、乾き易い。「無撚糸織」は、撚りのない糸を用いた織り方で、繊維間に空気を多く含んでおり、糸がふんわりとして柔らかな肌触りと、ボリューム感を有する。
【００２９】
次に、図３から図５を参照して、本実施形態に係る固定ベルトに取付具を取り付けた状態について説明する。図３は、第１実施形態に係る固定ベルトに取付具を取り付けた状態の概略図である。図４は、第１実施形態に係る固定ベルトに取付具を取り付けて、面ファスナーを装着した状態の概略図である。図５は、第１実施形態に係る固定ベルトをストーマ装具に装着した状態の斜視図である。
【００３０】
図３から図５に示すように、ベルト本体１０は、ストーマ装具８０に取り付けるための取付具５０を備えている。取付具５０は、ストーマ装具８０のタブ８１をワンタッチで挟み込むスナップ式クリップ５１と、当該クリップ５１の基端側の矩形状の本体部５２とから構成されている。スナップ式のクリップ５１は、頭部を押し込むことによりストーマ装具８０のタブ８１を挟み込むことができ、顎部を上げることにより装着解除することができる。本体部５２には、ベルト本体１０を挿通させるための挿通孔５３が形成されている。取付具５０は、例えば、プラスチックにより形成されている。
【００３１】
ストーマ装具８０は、排泄物を収容するための排泄袋（パウチ）８２と、当該パウチ８２を取り付ける土台となる面板（皮膚保護剤）８３とからなっている。面板８３の中央部には、人工肛門や人工膀胱（ストーマ）の周囲に当接させる圧力リング８４が形成されている。ストーマ装具８０の面板８３の左右には、スナップ式クリップ５１で挟み込むためのタブ８１が設けられている。
【００３２】
［固定ベルトの作用］
次に、図１から図５を参照して、第１実施形態に係る固定ベルト１００の作用について説明する。
【００３３】
図１及び図２に示したように、第１実施形態に係る固定ベルト１００は、例えば、ストーマ装具８０を人体に固定するための平帯状の結束体である。固定ベルト１００のベルト本体１０の表地面２０は、例えば、ナイロン繊維とポリエステル繊維とで伸縮織されている。この表地面２０は、当該表地面２０の全面に亘って上記面ファスナー雄部４１、４２を装着するための面ファスナー雌面４３として形成されている。他方、ベルト本体１０の裏地面３０は、例えば、綿糸のみで柔軟織されている。伸縮織された表地面２０と、柔軟織された裏地面３０とは、一体の平帯状の織布として形成されている。
【００３４】
図３から図５に示したように、ベルト本体１０の表地面２０の両端部近傍には、一対の面ファスナー雄部４１、４２が縫い付けられている。ベルト本体１０は、取付具５０のクリップ５１を用いて、ストーマ装具８０のタブ８１に取り付けられる。即ち、ベルト本体１０の裏地面３０が人体側となるように、ベルト本体１０の両端をそれぞれ一対の取付具５０の挿通孔５３に挿通させ、折り返して面ファスナー雌面４３としての表地面２０に面ファスナー雄部４１、４２を装着する。そして、クリップ５１はスナップ式であり、ワンタッチでストーマ装具８０のタブ８１に挟み込むことができる。
【００３５】
図５に示すように、ベルト本体１０は、面ファスナー雄部４１、４２の装着位置を調節することにより、人体の腰部に固定するためのループ長さを調節することができる。即ち、ベルト本体１０の両端側の折り返し代を長くして、表地面２０の長手方向内側に面ファスナー雄部４１、４２を装着すれば、ベルト本体１０のループ長さが短くなる。他方、ベルト本体１０の両端側の折り返し代を短くして、表地面２０の長手方向外側に面ファスナー雄部４１、４２を装着すれば、ベルト本体１０のループ長さが長くなる。ベルト本体１０の両側を面ファスナー雄部４１、４２の装着位置で調節するので、固定ベルト１の左右の張力を均等に配分することができる。したがって、ストーマ装具８０の装着ずれが生じ難い。
【００３６】
以上説明したように、第１実施形態に係る固定ベルト１００において、ベルト本体１０の表地面２０は、例えば、ナイロン繊維とポリエステル繊維とで伸縮織されているので、ベルトの伸縮性を維持することができる。他方、ベルト本体１０の人体の肌に直接接触する裏地面３０は、綿糸のみで柔軟織されているので、裏地３０に柔軟性及吸湿性をもたせることができる。したがって、第１実施形態に係る固定ベルト１００によれば、表地面２０によってベルトの伸縮性を維持しながら、裏地面３０に柔軟性及び吸湿性をもたせて、肌当たりや良く、発汗を抑制することができるという優れた効果を発揮する。
【００３７】
〔第２の実施形態〕
次に、図６を参照して、第２実施形態に係る固定ベルト２００の構成について説明する。図６は、第２実施形態に係る固定ベルトの裏地面側の概略図である。なお、第１実施形態と同一の構成要素については、同一の符号を付して説明する。
【００３８】
図６に示すように、第２実施形態では、裏地面２３０が綿と合成繊維との混用により柔軟織されている点が第１実施形態と異なる。即ち、第２実施形態の裏地面２３０は、綿と合成繊維との全混用量１００％に対して、綿が少なくとも５０％以上の混用率で織布されている。綿以外の残部には、合成繊維が用いられる。綿を少なくとも５０％以上の混用率で含むのは、綿の特性としての柔軟性及び吸湿性を低下させないようにするためである。
【００３９】
綿以外の残部の合成繊維には、例えば、セルロース系再生繊維、ポリエステル繊維、もしくはアクリル繊維のうち、少なくとも一種類が用いられる。「セルロース系再生繊維」としては、例えば、人工絹糸とも称されるレーヨン、キュプラ及びアセテートが挙げられる。セルロース系再生繊維は、天然セルロースを溶解して人工的に繊維の形に再生して製造される。「ポリエステル繊維」は、主鎖の繰返し単位中にエステル結合（−CO−O−） をもつ重合体の総称である。テレフタル酸とエチレングリコールとの重縮合で得られるポリエチレンテレフタレートはポリエステル繊維として多量に使用されている。「アクリル繊維」は、アクリロニトリルを主原料とした単重合体または共重合体の合成繊維の総称である。共重合する酢酸ビニル・塩化ビニルなどの比率によって繊維の性質が異なる。アクリロニトリルの共重合比率が５０％以上のものをアクリル繊維という。
【００４０】
第２実施形態では、ベルト本体１０の裏地面２３０が綿糸と合成繊維糸との交織により形成されている。ベルト本体１０の裏地面２３０の具体的な構成例としては、例えば、綿糸７０％とレーヨン糸３０％との交織の場合、綿糸７０％とポリエステル糸３０％との交織の場合、及び綿糸７０％とアクリル糸３０％との交織の場合が挙げられる。裏地面２３０に良好な柔軟性及び吸湿性をもたせるためには、綿糸を７０％以上の混用率で含むことがより好ましい。
【００４１】
以上説明したように、第２実施形態に係る固定ベルト２００は、基本的には第１実施形態と同様の作用効果を奏する。特に、第２実施形態に係る固定ベルト２００にあっては、ベルト本体１０の裏地面２３０が綿糸と合成繊維糸との混用により柔軟織されているので、裏地面２３０に柔軟性及び吸湿性をもたせて、肌当たりや良く、発汗を抑制しながら、天然繊維としての綿の使用率を低減することができるという有利な効果を奏する。
【００４２】
また、第２実施形態に係る固定ベルト２は、ベルト本体１０の裏地面２３０が綿糸と合成繊維糸との交織により形成されているので、糸の混用に際して紡糸作業を要しない。
〔第３の実施形態〕
【００４３】
次に、図７を参照して、第３実施形態に係る固定ベルト３００の構成について説明する。図７は、第３実施形態に係る固定ベルトの裏地面側の概略図である。なお、第１実施形態と同一の構成要素については、同一の符号を付して説明する。
【００４４】
図７に示すように、第３実施形態に係る固定ベルト３００は、第２実施形態に係る固定ベルト２００と同様に、裏地面３３０が綿と合成繊維との混用により柔軟織されている。第３実施形態では、ベルト本体１０の裏地面３３０が綿を含む複数の繊維の混紡糸を用いて形成されている点が第２実施形態と異なる。
【００４５】
第３実施形態の裏地面３３０は、第２実施形態と同様に、綿と合成繊維との全混用量１００％に対して、綿が少なくとも５０％以上の混用率で織布されている。綿以外の繊維には、合成繊維が用いられる。綿を少なくとも５０％以上の混用率で含むのは、綿の特性としての柔軟性及び吸湿性を低下させないようにするためである。
【００４６】
第３実施形態の裏地面３３０の具体的な構成例としては、綿が７０％と合成繊維が３０％の混用率で混紡した糸を用いて柔軟織りされている。混紡する合成繊維としては、第２の実施形態と同様に、例えば、セルロース系再生繊維、ポリエステル繊維、もしくはアクリル繊維のうち、少なくとも一種類が用いられる。裏地面３３０に良好な柔軟性及び吸湿性をもたせるためには、綿を７０％以上の混用率で混紡することがより好ましい。
【００４７】
以上説明したように、第３実施形態に係る固定ベルト３００は、基本的には第２の実施形態と同様の作用効果を奏する。特に、第３実施形態に係る固定ベルト３００にあっては、ベルト本体１０の裏地面３３０が綿を含む複数の繊維の混紡糸を用いて形成されているので、裏地面３３０の全体を均一な性状で形成することができるという有利な効果を奏する。
【００４８】
〔その他の実施形態〕
以上、本考案の好適な実施形態を説明したが、上記実施形態は本考案の説明のための例示であり、本考案の範囲を上記実施形態にのみ限定する趣旨ではない。本考案は、その要旨を逸脱しない範囲で、上記実施形態とは異なる種々の態様で実施することができる。
【００４９】
例えば、第２実施形態では、ベルト本体１０の裏地面２３０が綿糸と合成繊維糸との混用により柔軟織りされている。また、第３実施形態では、裏地面３３０が綿を含む複数の繊維の混紡糸を用いて形成されている。これらの態様に限定されず、第２実施形態の単繊維同士の混用と、第３実施形態の綿を含む複数の繊維の混紡糸とを組み合わせても構わない。この組み合わせ態様の場合にも、綿は少なくとも５０％以上の混用率で織布されており、綿を７０％の混用率で含むことがより好ましい。この組み合わせ態様によれば、裏地面に柔軟性及び吸湿性をもたせて、肌当たりや良く、発汗を抑制しながら、天然繊維としての綿の使用率を低減することができるという有利な効果を奏する。
【符号の説明】
【００５０】
１０    ベルト本体、
２０    表地面、
３０    裏地面、
４１、４２    面ファスナー雄部、
４３    面ファスナー雌面、
５０    取付具、
５４    挿通孔、
８０    ストーマ装具、
１００、２００、３００    固定ベルト。
【図１】
0003217275.tif 000003
【図２】
0003217275.tif 000004
【図３】
0003217275.tif 000005
【図４】
0003217275.tif 000006
【図５】
0003217275.tif 000007
【図６】
0003217275.tif 000008
【図７】
0003217275.tif 000009